Podtech/llm-jp-corpus-v4-ja_patent huggingface dataset:
(57)【要約】      （修正有）【課題】スキーシールは野山を歩行登高する場合、スキーの逆行を防ぐだけではなく、前方へは容易に滑り労力を軽減する。【解決手段】動物の毛皮６を用い、スキーと固定する面に特殊糊４を塗布し、更に糊の部分的剥離を防ぐため糊の中間層に防虫網状のネット５を張った。よって、スキーとの着脱を容易にし且つ故障を少なくした。また、動物の毛皮の特性である前方への滑走性を上げ、後方への逆行防止にも十分なスキーシール１とした。【選択図】図１
0003112086.tif 000002
【実用新案登録請求の範囲】
【請求項１】
スキーで山野を歩行や登高する場合の効率を高めるためのスキーシールで、動物毛皮型糊着脱式にし、糊と糊の中間に防虫網状のネットを張りつけて、糊の部分的剥離を防いだ改良型。
【考案の詳細な説明】
【技術分野】
【０００１】  本考案はスキーシールに関するものであり、動物毛皮の裏面に特殊糊を塗布しスキーとの着脱を容易にし、よって前方には良く滑り後方には逆行防止の効果を発揮するものである。
また、防虫網状のネットを糊の層の中間に張り、糊の部分的剥離を防いだ改良型スキーシール。
【背景技術】
【０００２】  従来のスキーシールは動物毛皮を用いたもののなかで、スキーに直接張りつけたものと、スキーとの着脱をするため前後及び両側にバンド又は紐を用いたもの。または、人工繊維での糊式着脱式スキーシールがあった。
直接張りつけ型は剥すことが出来ず、滑降する時に具合が悪く、バンド着脱式はバンドや紐の切断が激しく、またバンドや紐が前方への滑走を阻害していた。人工繊維型スキーシールは人工繊維そのものが動物毛皮より前方への滑走性が悪く、登高の疲労を大にしていた。今までは動物毛皮型糊着脱式スキーシールはなかった。
【考案の開示】
【考案が解決しようとする課題】
【０００３】  スキーシールを使用する本来の目的は、野山を歩行あるいは登高する際に、スキーを前方へ押し出すときは良く滑り、反対のふんばる側のスキーの逆行を防ぐためである。
したがってスキーシールは前方へは良く滑り、後方へは逆行しないことが理想的である。また、登高を終わって、いざ滑降を楽しむ時はスキーシールを取り外して滑った方が、安全且つ正確に滑降が出来るのであり、容易に着脱できることが求められる。
【課題を解決する手段】
【０００４】  そこで、動物毛皮の利点と人工繊維糊着脱式の利点を合わせ、動物毛皮型糊着脱式スキーシールを考案し（図１）、更に糊の部分的剥離を防ぐために
【０００１】に述べた防虫網状のネットを使用することを考案した。
【考案の効果】
【０００５】  よって、本考案のスキーシールは前方には快適に滑り、しかも逆行は人工繊維型と匹敵する効果がある。また、かなり低温でも着脱が容易であり、糊面の部分的剥離もなく長期間の使用に耐える。また、糊の塗り替えもでき理想に近いものとなった。
【考案を実施するための最良の形態】
【０００６】  本考案のスキーシールの糊面の効果を持続するために、携行時あるいは保管時には、市販されている樹脂で出来た分離用テープを糊面に張りつけた方が良い。
また、糊とはアメリカ、ヨーロッパから輸入された特殊なスキーシール用の糊を指す。
動物毛皮とはアザラシ、トド、または毛を短く加工した蝦夷シカ他を指し、前後の外れ防止の金具は市販のものを使用する。
【図面の簡単な説明】
【０００７】
【図１】  考案したスキーシールの糊面部正面図及び側面図
【図２】  従来の動物毛皮型バンド着脱式スキーシール
【符号の説明】
【０００８】１  スキーシール本体
２  取りつけ金具  市販されているストレッチャー
３  取りつけ金具  市販されているテールフック
４  糊の部分  市販されている輸入ものの糊
５  網の部分  窓等に使う防虫網状の樹脂ネット
６  防水と補強を兼ねた市販の樹脂テープ
７  動物の毛皮
８  スキーに固定するためのバンド
９  スキーを固定するためのビジョウ
【図１】
0003112086.tif 000003
【図２】
0003112086.tif 000004
【手続補正書】
【提出日】平成17年3月24日(2005.3.24)
【手続補正１】
【補正対象書類名】実用新案登録請求の範囲
【補正対象項目名】全文
【補正方法】変更
【補正の内容】
【実用新案登録請求の範囲】
【請求項１】
スキーで山野を歩行や登高する場合の効率を高めるためのスキーシールにおいて、動物毛皮の裏面にテント補修用の樹脂テープを貼り糊を塗布の後、その糊の上に防虫網状のネットを貼りつけ糊の部分的剥離を防ぎ、更にその上に、スキーとスキーシールを貼ったり剥いだり出来る糊を塗布した、動物毛皮型糊着脱式スキーシール。
【手続補正２】
【補正対象書類名】図面
【補正対象項目名】図１
【補正方法】変更
【補正の内容】
【図１】
0003112086.tif 000005
(57)【要約】【課題】    パークゴルフは北海道で考案され、現在のところプレー人口も北海道が最も多いと言われている。一年の半分が雪にとざされた北海道では数少ない屋外スポーツのひとつで、特にお年寄りのプレー人口が急速に増加しおり、夏に集中してプレーすることになる。お年寄りの場合、カップインしたボールを拾う時に腰に負担がかかり、腰痛やギックリ腰の原因になると言われている。ボールを立ったままで拾うことができれば、安心してプレーできる。【解決手段】    立ったままでボールを拾う器具はゴルフの例でいくつかあるが、パークゴルフのボールは大きいため器具も大きくなり、携帯には不便である。パークゴルフには、キャディバッグがないので、携帯に便利なものでなければならない。本品は小型であり、グリップエンドに装着したままで違和感なくプレーできるし、またプレー中にはポケットの中に保管し、必要時にグリップエンドに装着してもよい。装着はグリップエンドに差込むだけの簡単な操作である。【選択図】  図５
0003112089.tif 000002
【実用新案登録請求の範囲】
【請求項１】
円錐型吸盤とそれを固定する吸盤固定台で構成され、それに差込突起部があり、ボールマーカーのように簡単に取付け、取外しが可能なパークゴルフのボール拾い器具。
【考案の詳細な説明】
【技術分野】
【０００１】    パークゴルフのボールを立ったままの姿勢で拾いあげる器具に関するものである。
【背景技術】
【０００２】    パークゴルフに関するものはまだほとんど見当たらないが，ゴルフボールを拾う器具はいくつか考案されている。ゴルフボールは直径が３８０ｍｍで、パークゴルフのボールの６００ｍｍよりも小さいが、ゴルフボールにはディンプルがあるため、吸盤では拾えず、物理的につかむか、または挟む方法で拾いあげる方法である。同じ方法でパークゴルフのボールを拾うことは可能であるが、ボールが大きいため、器具も大きくなり携帯には不便である。
類似品の特許番号  〈特許文献１〉特開平９−２０６４１５
〈特許文献２〉実開平５−３７２５７
【考案の開示】
【考案が解決しようとする課題】
【０００３】    パークゴルフは若年層からお年寄りまで幅広い年齢層から支持されているが、近年お年寄りの健康増進スポーツとしてますます人気が高まっている。しかしお年寄りの場合はカップインしたボールを拾うための前傾姿勢が腰に負担をかける場合があり、腰痛やギックリ腰の原因になると危惧されている。
これを解決するために、小型で持ち運びが苦にならない器具の考案が期待されている。
【課題を解決するための手段】
【０００４】    腰に負担をかけずにボールを拾いあげるには、棒状のものでボールを捕捉して拾い上げるのが一番よい。ただし、パークゴルフの場合はプレイ中にはキャディバッグのようなものは持ち歩かず、クラブ１本のみを持ってプレーするため、ほかに棒状のものを持ち歩くのは適切ではない。棒状のものはクラブで代用し、極力小型にするために捕捉器具は機械的または物理的に挟んで捕捉するものではなく、吸盤を利用する。ディンプルのあるゴルフボールとは異なり、パークゴルフのボールは大きいが表面にディンプル等がなく滑らかなため、吸盤で吸い上げることが可能である。
【考案の効果】
【０００５】    腰をかがめることなく、パークゴルフのクラブのグリップに取り付けた本器具で、ボールを吸いつけて拾いあげることができる。
本器具はボールマーカーと同じ要領で取り扱いが可能で、プレー時にはポケットに保管してもよいし、またグリップに装着したままでも違和感なくプレーができる。小さくて軽量のため、携帯にはほとんど負荷がかからず、気にもならない。
【考案を実施するための最良の形態】
【０００６】    図面にもとづいて説明する。
使用する部品は円錐型吸盤と吸盤取付台の２つであり図１に示す。
円錐型吸盤は直径が１８ｍｍ〜２２ｍｍ程度のものが効率良くボールを捕捉する。大きすぎても、小さすぎても効率が悪いか、又はボールを捕捉できない。吸盤には取付台に固定するための突起をつける。突起は取付後はずれないように先端を太目にするが、さらに確実にするためには接着剤を利用する。
吸盤取付台は吸盤に合わせて直径を２０ｍｍ〜２４ｍｍ程度にして、装着時にグリップエンドからはみださないようにする。吸盤を突起部で固定するための吸盤固定穴と、パークゴルフのグリップエンドに装着するための棒状挿入部をつける。この吸盤取付台は重要であり、これがないと円錐型吸盤が固定されず、遊びが多くなり、ボールの捕捉が難しい。
２つの部品を組合せた完成品の外観図が図２である。図３がその断面図である。図４は完成品をパークゴルフのグリップエンドに取付けた状態を示している。
図５は完成品を取付けたパークゴルフのクラブ全体の外観図である。この図からも明らかなように、このボール拾い器具は小型であるので、装着したままでプレーしても全く違和感がない。
【産業上の利用可能性】
【０００７】    従来のボール拾い器具は形状が大きくて，携帯には不便である。本器具は小さくて軽量なので、商業ベースで競争力のある展開が可能である。
【図面の簡単な説明】
【０００８】
【図１】２個の部品の外観図である。
【図２】２個の部品を取付けた後の完成品図である。
【図３】断面図である。
【図４】パークゴルフのクラブに取付けたグリップエンド部分の図である。
【図５】ボール拾い器具を取付けたパークゴルフのクラブ全体の外観図である。
【符号の説明】
【０００９】１  円錐型吸盤
２  突起
３  吸盤固定穴
４  吸盤取付台
５  棒状挿入部
６  パークゴルフのクラブのグリップエンド
７  パークゴルフのクラブのグリップ
８  パークゴルフのクラブのシャフト
９  パークゴルフのクラブのヘッド
【図１】
0003112089.tif 000003
【図２】
0003112089.tif 000004
【図３】
0003112089.tif 000005
【図４】
0003112089.tif 000006
【図５】
0003112089.tif 000007
【手続補正書】
【提出日】平成17年2月2日(2005.2.2)
【手続補正１】
【補正対象書類名】明細書
【補正対象項目名】０００２
【補正方法】変更
【補正の内容】
【０００２】    パークゴルフに関するものはまだほとんど見当たらないが，ゴルフボールを拾う器具はいくつか考案されている。ゴルフボールは直径が３８ｍｍで、パークゴルフのボールの６０ｍｍよりも小さいが、ゴルフボールにはディンプルがあるため、吸盤では拾えず、物理的につかむか、または挟む方法で拾いあげる方法である。同じ方法でパークゴルフのボールを拾うことは可能であるが、ボールが大きいため、器具も大きくなり携帯には不便である。
類似品の特許番号  〈特許文献１〉特開平９−２０６４１５
〈特許文献２〉実開平５−３７２５７
(57)【要約】      （修正有）【課題】ペンキ（塗料）等が付着し難く、使用後の掃除が簡単で作業性の良いペンキ下げ缶を提供する。【解決手段】ペンキ（塗料）等が接する面をシリコンゴムにして、ペンキ等を付着し難いペンキ下げ缶・コーティングした下げ缶・内容器とする。【選択図】図１
0003112094.tif 000002
【実用新案登録請求の範囲】
【請求項１】
従来のペンキ下げ缶等はペンキが付着しやすく，後の清掃が大変であった．
シリコンゴムのペンキが付着し難い特性を利用して、シリコンゴム製のペンキの下げ缶（または表面にシリコンゴムをコーティングした下げ缶）、またはペンキの下げ缶の内側に利用するシリコンゴム製内容器
従来のペンキ下げ缶等は主にペンキを入れるときに利用する道具で、それ以上の便利性を追求し、シリコンゴムを採用するまでに至らなかった。
【考案の詳細な説明】
【技術分野】
【０００１】
本考案は、主にペンキ入れて手元で塗装するときに利用する道具である。
【背景技術】
【０００２】
従来のペンキ下げ缶等はペンキを入れて使用すると缶から溢れたり、付着し易く、時間が経てばペンキが付着して固まり、缶等の清掃が大変であった。
【０００３】
しかし、シリコンゴムを利用した下げ缶等はペンキをはじく性質があり、シリコンゴムに水性系、溶剤系すべてのペンキで塗ってためして実験したところ、同じ効果があり製品としては期待のもてるものであった。
【０００４】
シリコンゴムは材料としては高価なものではなく量産すればコストが下がり一般的に利用価値があり、傷と高温にも強いので長い間使用できるのでゴミとして処分される確率は少ない。
【考案の開示】
【考案が解決しようとする課題】
【０００５】
従来のペンキ下げ缶等はペンキを入れて使用すると、付着し易く、時間が経てばペンキが付着して固まり、缶等の清掃が大変で作業性が悪かった。
【課題を解決するための手段】
【０００６】
従来使用していたペンキ下げ缶等がペンキに接するところをシリコンゴムにして、ペンキを付着させない手段が必要であった。
【考案の効果】
【０００７】
本考案のシリコンゴム製のペンキ下げ缶等はペンキがほとんど付着せず、使用した後掃除が簡単で作業性が大変よいという利点がある。
【図面の簡単な説明】
【０００８】
【図１】ペンキの下げ缶とその内容器の説明図である。
【符号の説明】
【０００９】
１    シリコンゴム製ペンキの下げ缶またはシリコンゴム製コーティングした下げ缶
２    シリコンゴム製ペンキの下げ缶内容器
【図１】
0003112094.tif 000003
【手続補正書】
【提出日】平成17年3月25日(2005.3.25)
【手続補正１】
【補正対象書類名】実用新案登録請求の範囲
【補正対象項目名】全文
【補正方法】変更
【補正の内容】
【実用新案登録請求の範囲】
【請求項１】
ペンキを入れるための容器であって、少なくとも該容器の表面がシリコン材料で形成されていることを特徴とするペンキ下げ容器。
(57)【要約】      （修正有）【課題】電路の大地間静電容量による充電電流及び電路と大地間の間に取り付けられたラインフィルタによる漏れ電流を検出から除き、絶縁劣化時に生じる漏れ電流のみを簡単に検出する。【解決手段】大地と電路との間の静電容量によって流れる電流の位相は電路電圧の位相に関係する。電流の大きさは電路状態によって異なる。そこで、抵抗Ｒまたは静電容量Ｃを電路の電圧に接続し、電流の大きさのみ当該電路の常時流れている漏れ電流と合せる。この電流を常時流れている電路と大地間の間の静電容量によって流れる電流に対して逆方向になるようにＺＣＴの1次側に貫通させる。これにより、常時流れている電流はＺＣＴの出力において相殺される。この状態で電路を監視する。【選択図】図１
0003112098.tif 000002
【実用新案登録請求の範囲】
【請求項１】
低圧電路のＢ種接地線に流れる漏れ電流をＺＣＴで計測し、電路の絶縁状態を監視する装置において、電路電圧を使用して、抵抗又はコンデンサに電流を流し、その電流をＺＣＴの１次側に流し、電路の絶縁状態が良好時に流れる電路の大地間静電容量成分の電流を相殺させ、ＺＣＴの出力には電路の抵抗分電流が表れることを特徴とする絶縁監視装置
【請求項２】
低圧電路のＢ種接地線に流れる漏れ電流をクランプ式漏れ電流計で計測し、電路の絶縁状態を監視する装置において、電路電圧を使用して、抵抗又はコンデンサに電流を流し、その電流をクランプ式漏れ電流計のＣＴの１次側に流し、電路の絶縁状態が良好時に流れる電路の大地間静電容量成分の電流を相殺させ、クランプ式漏れ電流計の表示には電路の抵抗分電流が表れることを特徴とする漏れ電流計との組合わせた絶縁監視装置
【請求項３】
請求項１乃至は請求項２において、トランスを使用して電路電圧を低電圧にして、抵抗又はコンデンサを使用してＺＣＴの1次側に電流を流し、電路の絶縁状態が良好時に流れる電路の大地間静電容量成分の電流を相殺させ、ＺＣＴの出力には電路の抵抗分電流が表れることを特徴とする絶縁監視装置
【考案の詳細な説明】
【技術分野】
【０００１】
本考案は低圧電路における絶縁の監視装置に関することである。
【背景技術】
【０００２】
従来は電路の絶縁監視の方法として、Ｂ種接地線に異種の周波数の電源を注入する方法やＢ種接地線に流れる漏れ電流と電源電圧のとの位相関係より、電路の絶縁を監視する方法がある。
【０００３】
しかし、異種の電源の注入方法は価格が高い。漏れ電流と電路電源との位相を関係より漏れ電流に含まれる抵抗分を測定する方法は回路が複雑になり、また漏れ電流が大きい時は位相の微小誤差により大きな抵抗成分誤差が表れる。また、漏れ電流のみを測定するクランプ式漏れ電流計に比べて、大きく重く高価である。
【非特許文献１】「株式会社ムサシインテック  1312活線メガGCT-34カタログ」
【考案の開示】
【考案が解決しようとする課題】
【０００４】
解決しようとする課題は、電路の大地間静電容量による充電電流及び電路と大地間の間に取り付けられたラインフィルタによる漏れ電流を検出から除き、絶縁劣化時に生じる漏れ電流のみを簡単に検出することである。
【課題を解決するための手段】
【０００５】
本考案は上記の課題を達成するため、抵抗Ｒまたは静電容量Ｃを電路の電圧に接続させて、そのとき流れる電流を電路と大地間の間の静電容量によって流れる電流と１８０°位相を変えてＺＣＴの窓内に流す。
【考案の効果】
【０００６】
本考案の装置により常時流れている静電容量による電流はＺＣＴの出力において相殺される。これにより、電路や機器に絶縁不良が生じて漏れ電流が流れると、その電流のみがＺＣＴの出力に表れ、絶縁不良を検出するすることができる。
【考案を実施するための最良の形態】
【０００７】
リレーの場合は、Ioリレーがある。本考案による装置を後付けすることにより、電路のＣ分によって流れる電流からの影響がなくなり、絶縁低下による電流が検出できる状態となる。クランプメータによる測定では、日常点検時において、Ｃ分による電流の大きさをレンジを変えて流すことにより、最少値が抵抗分電流と判断することができる。
【実施例】
【０００８】
図１は本考案の装置を標準的な高圧受電設備に設置したときの結線図である。動力トランス１の電路には電線と大地との間に静電容量５がある。電灯トランス２の負荷側にも動力トランス１と同様に静電容量６がある。動力トランス１のＢ種接地線３に充電電流が流れる。図２は動力トランスを例にとった場合の漏れ電流と電路電圧の位相関係を表したものである。電灯用Ｂ種接地線４にも同様に充電電流が流れる。絶縁監視装置７は動力回路用ＺＣＴ８と電灯回路用ＺＣＴ９で各電路の漏れ電流を計測監視する。このとき動力電路を例にとると、図２に示すようにＢ種接地線に流れる電流はIcとなる。この電流は季節、時間、負荷状況にほとんど影響されない。
【０００９】
本考案による装置１０の内部には抵抗、コンデンサが接続されている。動力用基準電圧検出コード１２によって基準電圧を動力トランス１の電路からとりこみ、ＺＣＴ８の窓内に動力用補償コード１３によって電流を流す。電流の大きさは図３に示すように−ＩｃでIcの電流を相殺する方向に電流を流す。すると、ＺＣＴ８の出力は図４に示すようにIc電流分がほとんどなくなる。負荷機器の絶縁不良が発生するとIc成分に影響されずに抵抗分漏れ電流Ｉｒを正しく検出することができる。
【００１０】
電灯トランス２の場合も同様に電灯用基準電圧検出コード１１によって基準電圧をとりこみ、ＺＣＴ９の窓内に電灯用補償コード１３によって電流を流し、静電容量による電流を相殺させる。すると、ＺＣＴの出力において、電路の大地間の静電容量による電流の影響はなくなる。
【００１１】
これにより、絶縁監視装置７は電路及び負荷機器の絶縁が不良となった時、絶縁に起因する漏れ電流のみを検出する。これにより低価格な絶縁監視装置が実現できる。
【図面の簡単な説明】
【００１２】
【図１】本考案の絶縁監視装置を標準的な高圧受電設備に設置したときの例
【図２】常時動力トランスのＢ種接地線に流れる電路のＣ及びフィルタによる電流の位相
【図３】補償電流−Ｉｃの位相
【図４】抵抗分電流Ｉｒが流れた時のＺＣＴの出力電流の位相
【符号の説明】
【００１３】
１  動力トランス
２  電灯トランス
３  動力用Ｂ種接地線
４  電灯用Ｂ種接地線
５  動力トランスの電路と大地間静電容量
６  電灯トランスの電路と大地間静電容量
７  絶縁監視装置
８  動力用ＺＣＴ
９  電灯用ＺＣＴ
１０  本考案による装置
１１  電灯用基準電圧検出コード
１２  動力用基準電圧検出コード
１３  電灯用補償コード
１４  動力用補償コード
Ic  電路と大地間の静電容量によるＢ種接地線に流れる漏れ電流
Iｒ  機器の絶縁不良により流れる抵抗分漏れ電流
【図１】
0003112098.tif 000003
【図２】
0003112098.tif 000004
【図３】
0003112098.tif 000005
【図４】
0003112098.tif 000006
(57)【要約】      （修正有）【課題】就寝中に惹起する掛け布団と毛布等の乖離を防ぎ、これを一体化させ熟睡化を促進する留具及びカバーの提供。【解決手段】本考案は掛け布団１（以下布団という）と毛布等２（以下毛布という）の厚みを考慮したベルト状紐の両端にサスペンダークリップを装着した留具４（以下留具という）で布団と毛布とを結合し、これを四隅で結合し一体化させる。又、布団幅より若干長さを付加した留具を布団の幅方向に渡し、その両端のクリップで毛布を挟み、布団と毛布を一体化させる。又、布団の四辺の折り畳み分を考慮して裁断したシーツ状布６に毛布、布団の順に重ね、四辺を折り畳み包み込む。そしてこの四辺の端部をクリップで結合し固定させることにより、布団と毛布とが一体化する。【選択図】図１−１
0003112100.tif 000002
【実用新案登録請求の範囲】
【請求項１】
就寝中に掛け布団と毛布等が人体の動きにより乖離しないように、ベルト状紐の両端にサスペンダークリップを装着し掛け布団と毛布等を一体化させる留具、及びシーツ状布で掛け布団と毛布等を一体化させることを目的にしたカバー。
【考案の詳細な説明】
【技術分野】
【０００１】本考案は、就寝中に掛け布団と毛布等が乖離する事を防止する為の留具とカバーに関するものである。
【技術背景】
【０００２】就寝中に人体の動きにより、掛け布団と毛布等が乖離し毛布等が片側或いは片隅に移動し、その結果寒さや不快感等で覚醒するケースが散見された。
【考案の開示】
【考案が解決しようとする課題】
【０００３】就寝中に掛け布団と毛布等が乖離することにより、身体に感じる寒さや不快感で再々覚醒し、改めて毛布等と掛け布団とを一体にして眠ることになり、このことによって熟睡を妨げられていた。
従って、掛け布団と毛布等を一体化することにより乖離する不快感と寒さから逃れられ、朝まで熟睡出来ることが可能になり、前述の欠点を解決しようとするものである。
【課題を解決する手段】
【０００４】本考案は、掛け布団と毛布等を留具又はカバーを使用して一体化させるものであり、
（１）掛け布団と毛布等の厚み程度の長さのベルト状紐の両端にサスペンダークリップを装着し、このクリップの一端を掛け布団に、もう一端は毛布等を挟みこむ。これを四隅に近い箇所で４箇所留めを行い、掛け布団と毛布等を一体化させる。
（２）掛け布団幅に若干の長さを付加したベルト状紐の両端にサスペンダークリップを装着し、このベルト状紐を掛け布団の幅方向に渡し、夫々両端のクリップで毛布等を挟む。これにより掛け布団と毛布等が結合され一体化する。
（３）シーツ状布の上に毛布等と掛け布団を重ねて置き、それをシーツで一体化するように包み込み、シーツの折り代部四辺にゴム紐を縫いつけ、包み込んだ後、辺部が弛まないようにし、その後クリップで四辺端部を結合し固定処理をする。これにより掛け布団と毛布等を一体化させることが出来るのと、布団カバーとしての機能を持つことが出来る。
このように本考案は３つの方法により問題点を解決している。
【考案の効果】
【０００５】上述の様に、掛け布団と毛布等を一体化させる事が可能になり、従来からの就寝中に起こる掛け布団と毛布等が乖離する煩わしさから解放され、朝まで安眠・熟睡を確保出来るようになった。
これにより、睡眠効果に大きく貢献出来る事になる。
【考案の実施するための最良の形態】
【０００６】本考案は掛け布団と毛布等を一体化させる方法として３種類の方法がある。
（１）掛け布団と毛布等の厚みを考慮した長さのベルト状紐を４個用意し、夫々の紐の両端にサスペンダークリップを装着させる。この留具の一端のクリップで掛け布団を、もう一端で毛布等の端部を挟む。
このようにして四隅に近いところ４箇所をこの留具で掛け布団と毛布等を挟み、一体化させる。
（２）掛け布団の幅に若干を付加した長さのベルト状紐を用意し、その両端にサスペンダークリップを装着させる。
この留具を掛け布団の上から幅方向にベルト状紐を渡し、その両端のクリップで掛け布団の下にある毛布等の端部を夫々挟み込む。これによりベルト状紐とクリップで掛け布団と毛布等を固定し一体化させることが出来る。
（３）シーツ状布を掛け布団より四辺の折り代分を考慮した大きさに裁断し、その広げたシーツ状の布の上に毛布等、掛け布団の順で重ねていき、そのシーツ状布の折り代部分で掛け布団を包む。
折り代部の四辺に平ゴム紐を縫いつけ、折り畳んだ後、辺部が弛まないように処理をし、折り畳み後の四辺端部はそれぞれベルト状紐の両端にクリップを装着し且つ長さ調整が出来るようにした留具で各四辺端部を結合する。
これにより毛布等と掛け布団とが一体化し、且つ布団カバーの機能を持つ事が出来るようになる。
【実施例】
【０００７】以下、添付図面に従って実施例を説明する。１は掛け布団、２は毛布等、３は敷き布団、４はサスペンダークリップをベルト状紐の両端に装着した留具（以下留具という）、５は枕、６はシーツ状布である。先ず、図１−１は１の掛け布団と２の毛布等を４の留具で挟み一体化したものである。これを四隅に近い処で４の留具を使用し４箇所を留めることにより１の掛け布団と２の毛布等を全体的に一体化させる。【０００８】図２−１は１の掛け布団の幅より若干長めにした４のベルト状紐の留具を１の掛け布団の上を幅方向上に渡し、両端のクリップで２の毛布等を挟み、１の掛け布団と２の毛布等をベルトとクリップで固定し一体化させる。【０００９】図３−１は６のシーツ状布を広げた上に２の毛布等、１の掛け布団の順に重ねて置き、６のシーツ状布の折り代部分四辺には弛まないように平ゴムを縫い付けておき、この折り代部分を１の掛け布団をくるむ様に包んでいく。そして四隅に出来る６のシーツ状布の隙間を４の留具で結合する事により１の掛け布団と２の毛布等を一体化する事が出来る。
【図面の簡単な説明】
【００１０】
【図１−１】本考案の実施例〔０００７〕の側面図である。
【図１−２】本考案の実施例〔０００７〕の断面図である。
【図２−１】本考案の実施例〔０００８〕の平面図である。
【図２−２】本考案の実施例〔０００８〕の断面図である。
【図３−１】本考案の実施例〔０００９〕の平面図（展開図）である。
【図３−２】本考案の実施例〔０００９〕の平面図（折り畳み図）である。
【符号の説明】
【００１１】１  掛け布団
２  毛布等
３  敷き布団
４  ベルト状紐の両端にサスペンダークリップを装着させた留具
５  枕
６  シーツ状布
【図１−１】
0003112100.tif 000003
【図１−２】
0003112100.tif 000004
【図２−１】
0003112100.tif 000005
【図２−２】
0003112100.tif 000006
【図３−１】
0003112100.tif 000007
【図３−２】
0003112100.tif 000008
(57)【要約】      （修正有）【課題】単発式でなく、連続的に球体を発射させることができる連発式打球具を提供する。【解決手段】球体発射用円筒部３の後端近傍下部に、球体収容部８を取り付け、その収容部に収容されている球体を押圧棒９により球体発射用円筒部内方向に弾発的に付勢することにより、球体を球体発射後球体発射用円筒部内に連続的に補給する。【選択図】図１
0003112099.tif 000002
【実用新案登録請求の範囲】
【請求項１】
両端を開口し、前端開口部に球体が封入された、球体が通過する球体発射用円筒部、前記円筒部の後端開口部から前端開口部まで挿通自在であり、前記円筒部の後端近傍にある球体を押圧して前記円筒部内に形成される圧縮空気圧により、前端開口部に位置する球体を前端より発射させると共に後端近傍にある球体を前端開口部まで押圧する打撃棒、前記打撃棒の後端に固定され、操作者により把持される把持部、前記球体発射用円筒部と前記把持部を連結すると共に前記打撃棒が前記後端開口部から脱落しないように位置決めする位置決め部材、前記球体発射用円筒部の後端近傍下部に取り付けられ、前記球体を複数収容すると共に球体を前記円筒部内に補給する両端が開口された円筒状の球体収容部、前記球体収容部の後端からその内部を挿通自在であり、収容されている球体を押圧して前期球体発射用円筒部内に球体を補給するための押圧棒および前記押圧棒を前記球体収容部内に弾発的に付勢する付勢部材からなる連発式打球具。
【考案の詳細な説明】
【技術分野】
【０００１】  本考案は、連発式打球具に関し、さらに詳しくは、球体を連続的に発射することが出来る連発式打球具に関する。
【背景技術】
【０００２】  木の実等の球体を、竹製、木製または合成樹脂製等の両端が開口した筒体中に入れ、その球体を後端から挿入した打撃棒により押圧して筒体中に形成される圧縮空気圧により筒体の前端開口部に封入された球体を前端より発射させて目的物に当てる豆鉄砲などの打球具が知られている。しかしながら、この打球具においては、球体を一発打撃した後に球体を球体発射用円筒部に操作者により手で補給しなければならず、目的物に連続的に球体を当てたい場合に連続的に球体を発射できないという不具合があった。
【考案の開示】
【考案が解決しようとする課題】
【０００３】  解決しようとする問題点は、球体を一発発射させた後手操作により球体を補給することなく、球体を連続的に発射することができる点にある。
【課題を解決するための手段】
【０００４】  本考案は、球体収容部を設けることにより、球体を球体発射用円筒部内に連続的に補給することを主要な特徴とする。
【考案の効果】
【０００５】  本考案の連発式打球具は、球体収容部を設けてそこに球体を複数収容し、球体を発射させた後、球体を球体発射用円筒部内に補給するため、連続して球体を発射させることができるという利点を有する。
【考案を実施するための最良の形態】
【０００６】  球体を連続的に発射させるという目的を、球体収容部内に収容された球体を球体発射用円筒部内方向に弾発的に押圧することにより実現した。
【実施例１】
【０００７】  図１は、本考案装置の１実施例の断面図であって、１は本考案の連発式打球具、２は球体、３は球体発射用円筒部、４は後端開口部、５は前端開口部、６は打撃棒、７は把持部、８は球体収容部、９は押圧棒、１０は付勢部材、１１は位置決め部材である。【０００８】  連発式打球具１は、竹製または木製あるいは合成樹脂製等であり、以下の部分よりなる。すなわち、木の実、デンプンを含ませた紙製または合成樹脂製の球体２が通過し、両端に開口部４，５を有すると共に前端開口部に球体が封入された円筒状の球体発射用円筒部３、前記円筒部の後端開口部４から前端開口部５まで挿通自在であり、後端開口部５近傍に位置する球体２を前記円筒部３の後端近傍から押圧して前記円筒部内に形成される圧縮空気圧により前記円筒部３の前端開口部５に封入された球体を押圧して前端より発射させるための打撃棒６、前記打撃棒６の後端に固定され、操作者により把持される把持部７、前記球体発射用円筒部と前記把持部を連結すると共に前記打撃棒が後端開口部から脱落しないように位置決めする位置決め部材１１、前記球体発射用円筒部３の後端近傍下部に取り付けられ、前記球体２を複数収容すると共に球体２を前記円筒部３内に補給する両端が開口した円筒状の球体収容部８、前記球体収容部８の後端からその内部を挿通自在であり、収容されている球体２を押圧して前記球体発射用円筒部３内に球体を補給するための円筒状または円柱状押圧棒９および前記押圧棒９を前記球体収容部８中の球体２を前記円筒部３内に補給する方向に付勢する付勢部材１０からなる。【０００９】  打撃棒６に固定される把持部７は打撃棒６と一体的に形成されても着脱自在に形成されても良い。前記球体発射用円筒部３においては、後端開口部４の径が前端開口部５の径より若干大きいことが好ましい。【００１０】  球体収容部８は、球体発射用円筒部３に係合または螺合などの手段により着脱自在に形成することが好ましく、第２図に示すように球体収容部８を取り外して両端開口部を粘着テープ１２または蓋などにより塞ぐことにより球体２を紛失することなく保管することができる。前記付勢部材１０は、第１図に示すようにゴムバンド１３で形成することができ、ゴムバンド１３の一端を押圧棒９の後端に固定し、他端を球体収容部８の外表面に固定、緊張して、その緊張状態の弾発力により、球体２が球体発射用円筒部３内に補給される方向に押圧棒９を弾発的に付勢する。このゴムバンド１３に代えて、スプリングを付勢部材１０として用いても良い。【００１１】  以上のような構成を有する連発式打球具１は、下記のごとく使用される。球体発射用円筒部３に球体収容部８を取り付けて、その円筒部３内後端近傍に球体が押圧棒９により押圧されて自動的に補給される。操作者は後方に引いた打撃棒６を前方に押出して球体２を前方に押出し、球体発射用円筒部３内に形成される圧縮空気圧により前端開口部５に封入された球体２を前端開口部５から発射させて目的物に球体２を当てる。このとき、打撃棒６により押圧された球体２は前端開口部５まで押圧される。本考案の連発式打球具１では、この球体２を連続的に発射させて目的物に当てることができる。
【産業上の利用可能性】
【００１２】  球体収容部を設け、収容されている球体を押圧棒により弾発的に付勢することにより球体を球体発射用円筒部内に連続して補給することができるので、球体を単発的にではなく連続的に発射させることができる豆鉄砲として使用することができる。
【図面の簡単な説明】
【００１３】
【図１】連発式打球具の断面図である。（実施例１）
【図２】取り外し可能な球体収容部を示す断面図である。（実施例１）
【符号の説明】
【００１４】１  連発式打球具
２  球体
３  球体発射用円筒部
４  後端開口部
５  前端開口部
６  打撃棒
７  把持部
８  球体収容部
９  押圧棒
１０  付勢部材
１１  位置決め部材
【図１】
0003112099.tif 000003
【図２】
0003112099.tif 000004
(57)【要約】      （修正有）【課題】特殊な簡易トレーを設けることにより、ケーキを潰すことなく、確実に掴むことができ、しかも、製造が安価なケーキ用簡易トレーを提供する。【解決手段】ケーキを載せるための小型のトレー（１）を設け、該トレーの周囲に、所定の高さを有する縁部（２）を設け、該縁部（２）の下端内側に、全周に渡って折り返し部（２ａ）を設け、該折り返し部（２ａ）に、前記トレー（１）を載置して、トレー（１）が、上方にのみ着脱可能に設けたことを特徴とするケーキ用簡易トレーから構成されるものであり、さらに、ケーキを載せるための小型のトレー（１）の上面には、金色に着色したものであり、載置するケーキを豪華に見せるよう構成したものである。【選択図】図２
0003112097.tif 000002
【実用新案登録請求の範囲】
【請求項１】
小型のトレー（１）を設け、該トレーの周囲に、所定の高さを有する縁部（２）を設け、該縁部（２）の下端内側に、全周に渡って折り返し部（２ａ）を設け、該折り返し部（２ａ）に、前記トレー（１）を載置して、トレー（１）が、上方にのみ着脱可能に設けたことを特徴とするケーキ用簡易トレー。
【請求項２】
小型のトレー（１）の上面を、金色に着色したことを特徴とする請求項１記載のケーキ用簡易トレー。
【考案の詳細な説明】
【技術分野】
【０００１】
この考案は、ケーキ用簡易トレーに関するものである。
【背景技術】
【０００２】
従来、洋菓子店には、あらゆる種類のケーキがあり、店内において、ガラスのショーケースを挟み、顧客の選択したケーキを、店員が、その都度、ケーキサーバーと呼ばれる、ハサミ状の利器で掴んで、対応している。
【０００３】
しかし、はさみでは、直接、手に触れないため、衛生的ではあるが、柔らかいケーキの場合、力を加えると、ケーキは確実に掴めるが、折角のケーキを潰してしまい、また、緩く掴むと、掴み損ねて落ちてしまう恐れがあった。
【０００４】
といっても、手では、上述のように、ケーキを潰さずに掴めるが、不衛生であるとの感じを顧客に与えてしまい、店のイメージがマイナスになるとも考えられる。
【０００５】
また、特許文献１のように、トレーの構造が複雑なケーキトレーは存在するが、コストも高くなり、さらに、専用の製造装置が必要となる。
【特許文献１】登録第３０５７８３５号実用新案公報
【考案の開示】
【考案が解決しようとする課題】
【０００６】
そこで、この考案は、特殊な簡易トレーを設けることにより、ケーキを潰すことなく、確実に掴むことができ、しかも、製造が安価なケーキ用簡易トレーを開発・提供することにある。
【課題を解決するための手段】
【０００７】
この考案は、小型のトレーを設け、該トレーの周囲に、所定の高さを有する縁部を設け、該トレーと縁とは、上方にのみ着脱可能に設けたことを特徴とするケーキ用簡易トレーである。
【考案の効果】
【０００８】
本考案によると、ケーキ（Ｘ）は、小型のトレーの中に載置しており、縁部（２）を手で掴み、包装用箱に移動したりするため、潰れることなく掴めて、しかも、確実に移動することができ、また、従来の装置を使用して製造できるため、安価である等極めて有益なる効果を奏するものである。
【考案を実施するための最良の形態】
【０００９】
この考案は、小型のトレー（１）を設け、該トレーの周囲に、所定の高さを有する縁部（２）を設け、該トレー（１）と縁部（２）とは、上方にのみ着脱可能に設けたことを特徴とするケーキ用簡易トレーから構成される。
【実施例】
【００１０】
次に、この考案の一実施例を図面に従って詳述すると、ケーキ（Ｘ）を載せるための小型のトレー（１）を設け、該トレーの周囲に、所定の高さを有する縁部（２）を設け、該縁部（２）の下端内側に、全周に渡って折り返し部（２ａ）を設け、該折り返し部（２ａ）に、前記トレー（１）を載置して、トレー（１）が、上方にのみ着脱可能に設けたことを特徴とするケーキ用簡易トレーから構成される。
【００１１】
尚、ケーキ（Ｘ）を載せるための小型のトレー（１）の上面の色を、金色に着色することにより、豪華に見えるものである。
【００１２】
尚、この考案の製造にあたっては、新規な製造装置は必要がなく、紙製アイスクリームカップの蓋の製造装置を利用すればよく、安価に製造できるものである。
【産業上の利用可能性】
【００１３】
この考案は、ケーキ用簡易トレーの製造技術を確立し、かつこれら材料の使用により、洋菓子業界等に寄与する点で、産業上の利用可能性を有する。
【図面の簡単な説明】
【００１４】
【図１】この考案の一実施例を示す正面図である。
【図２】この考案の一実施例を示す断面図である。
【図３】この考案の使用状態を示す説明図である。
【符号の説明】
【００１５】
１  小型のトレー
２  縁部
２ａ  折り返し部
Ｘ  ケーキ
【図１】
0003112097.tif 000003
【図２】
0003112097.tif 000004
【図３】
0003112097.tif 000005
(57)【要約】      （修正有）【課題】冬の寒い時は保温性がよくて温かく、夏の汗が出る湿気の多い時は吸放湿性がよい素材を活用したウール素材を使用した自転車のサドルカバーを提供する。【解決手段】ウール布地を上下にし、中間にウール綿を入れサンドイッチにてキルテング加工し、ウールの優れた性質を活かした自転車のサドルカバーである。【選択図】図１
0003112072.tif 000002
【実用新案登録請求の範囲】
【請求項１】
ウール布地と、ウール綿を使用した自転車のサドルカバー。
【請求項２】
屋外の駐輪時に雨雪塵挨らを防ぐため、サドルカバーの後部に補助カバーを取りつける。補助カバーは、防水加工した布を使用する。
【考案の詳細な説明】
【技術分野】
【０００１】
本考案は、自転車の補助カバー付サドルカバーで、本体はウール綿を内側にし、ウール布地で上下にサンドイッチにて、キルティング加工したキルト地で作成する。
【０００２】
補助カバーは、屋外に自転車を駐輪する場合、サドルカバー素材がウールであるため、雨雪塵挨らを防ぐため、サドルカバー本体の後部に防水加工した布地で作った補助カバーを取り付け、必要な時に使用する。
【背景技術】
【０００３】
従来のサドルカバー素材は、保温性吸放湿性があまりよくない。その点ウール素材は表皮組織が魚鱗状に重なったスケールがあり、大気の温度湿度に対し、魚鱗状の組織が開いたり閉じたり調節作用があるため、保温性吸放湿性が他の天然繊維や合成繊維と比較してもはるかに優れ、繊維のエアコンと称され生きている繊維とも云われる
【考案の開示】
【考案が解決しようとする課題】
【０００４】
本考案は、従来のサドルカバー素材とは異なるウール素材を使用し、自転車の乗り心地をよくし身体のためにもよい。
例えば、冷え性痔疾患等に対する保温性、又暑い季節の汗や湿気に対し吸放湿性に優れた効果を得る。
【０００５】
自転車を屋外に駐輪する場合、サドルカバーの雨雪塵挨らを防げないため、この場合防水加工をした布地で作った補助カバーを使用する。
【課題を解決するための手段】
【０００６】
サドルカバーは、サドルの前部から全体を覆い図1の3紐をしっかり締めずれないように固定する。
取付け取外しも簡単で洗濯の場合にも容易である。
【考案の効果】
【０００７】
自転車を使用するとき、ウール素材のキルト地で作ったサドルカバーが、サドルと体との間でソフトな感覚と保温吸放湿もよく快適となる。
【考案を実施するための最良の形態】
【０００８】
本考案のサドルカバーは、ウール布地及びウール綿の優れた性質を生かして作り、屋外の駐輪にも可能になり、取付け取外しも容易で、常に清潔にて使用する事が出来る。又体への衝撃も緩和される。
【図面の簡単な説明】
【０００９】
【図１】サドルカバー上側面図
【図２】サドルカバー下側面図
【図３】サドルカバー後方面図
【図４】サドルカバー上方面図
【図５】サドルカバーを保護する防水加工布使用の補助カバー
【符号の説明】
【００１０】
1  サドルカバー
2  補助カバー及ぴ補助カバーを入れる袋
3  サドルカバーを装着させる紐
4  補助カバー
5  補助カバーのゴム紐
【図１】
0003112072.tif 000003
【図２】
0003112072.tif 000004
【図３】
0003112072.tif 000005
【図４】
0003112072.tif 000006
【図５】
0003112072.tif 000007
【手続補正書】
【提出日】平成16年4月5日(2004.4.5)
【手続補正１】
【補正対象書類名】実用新案登録請求の範囲
【補正対象項目名】全文
【補正方法】変更
【補正の内容】
【実用新案登録請求の範囲】
【請求項１】
ウール素材からなるサドルカバー本体
【請求項２】
前記サドルカバー本体にとりつけられ、後サドルカバー本体内部に収納可能であって、前記サドルカバー本体に着脱可能に被うことができる、防水素材からなる補助カバー。
以上からなる自転車の補助カバー付サドルカバー。
【手続補正書】
【提出日】平成16年7月12日(2004.7.12)
【手続補正１】
【補正対象書類名】実用新案登録請求の範囲
【補正対象項目名】全文
【補正方法】変更
【補正の内容】
【実用新案登録請求の範囲】
【請求項１】
ウール素材からなる本体に、防水素材からなる補助カバーを取り付けた、自転車の補助カバー付サドルカバー。
【手続補正書】
【提出日】平成16年10月4日(2004.10.4)
【手続補正１】
【補正対象書類名】実用新案登録請求の範囲
【補正対象項目名】全文
【補正方法】変更
【補正の内容】
【実用新案登録請求の範囲】
【請求項１】
ウール綿をウール布地でサンドにし、キルティング加工したキルト地にて自転車のサドルカバー本体を作る。
のちサドルカバー本体内部に収納可能であって、前記サドルカバー本体を着脱可能に被うことができる防水加工した布からなる、補助カバーを取り付けた自転車の補助カバー付きサドルカバー。
【手続補正書】
【提出日】平成17年2月10日(2005.2.10)
【手続補正１】
【補正対象書類名】実用新案登録請求の範囲
【補正対象項目名】全文
【補正方法】変更
【補正の内容】
【実用新案登録請求の範囲】
【請求項１】
ウール綿をウール布地でサンドにし、キルティング加工したキルト地の自転車のサドルカバー本体。
【請求項２】
請求事項1のサドルカバー本体内部に収納可能であって、サドルカバー本体を着脱可能に被うことができる防水加工した布からなる補助カバーを取り付けた、自転車のサドルカバー。
(57)【要約】      （修正有）【課題】毎日もしくは頻繁に潅水しなくても、植栽が枯死することを防止できる植木鉢を提供する。【解決手段】水抜き穴を側面上部に設けることにより、水抜穴と底の間を貯水槽とし、ここにピート、腐葉土、スポンジ等の貯水制に富む材料を詰める。【選択図】図１
0003112080.tif 000002
【実用新案登録請求の範囲】
【請求項１】
円筒形、四角形、もしくは多角形の箱で側面に水抜き穴を備え、底部に貯水槽を有する植木鉢。
【考案の詳細な説明】
【考案の詳細な説明】
【技術分野】
【０００１】本考案は植木鉢の水抜き穴を側面に設け、穴より下の底部に貯水機能を持たせるものである。
【背景技術】
【０００２】従来、植木鉢には底に水抜き穴が設けてあり、多めに潅水しても排出されてしまうので、水分を好む植栽には頻繁に潅水する必要がある。
【考案が解決しようとする課題】
【０００３】本考案は、水抜き穴を底から側面上部に移すことにより、水抜穴と底の間を貯水槽とし、数日間潅水ができなくても植栽を枯死させることが避けられる。
【課題を解決するための手段】
【０００４】本考案は従来の植木鉢が底に備えている水抜き穴を側面上部に移動することにより、水抜き穴と鉢底との間に貯水できる空間を設け、ここにピート、腐葉土、スポンジ等の貯水性に富む材料を詰めて植栽への給水を計るものである。
【考案を実施するための最良の形態】
【０００５】考案の実施の図面を参照して説明する。
図１〜２は樹脂製角型植木鉢を想定し、下端より１０ｃｍの位置に２ｃｍ直径の水抜き穴を開ける。
水抜き穴より下が貯水槽となり、多量の潅水や降雨を蓄えることが出来る。
【考案の効果】
【０００６】水抜き穴を側面上部に移すことにより、貯水槽を設けることができるので毎日朝夕の潅水をしなくても植栽が枯死することを避けられる。
【図１】
0003112080.tif 000003
【図２】
0003112080.tif 000004
【手続補正書】
【提出日】平成17年2月9日(2005.2.9)
【手続補正１】
【補正対象書類名】明細書
【補正対象項目名】全文
【補正方法】変更
【補正の内容】
【考案の詳細な説明】
【技術分野】
【０００１】本考案は植木鉢の水抜き穴を側面に設け、穴より下の底部に貯水機能を持たせるものである。
【背景技術】
【０００２】従来、植木鉢には底に水抜き穴が設けてあり、多めに潅水しても排出されてしまうので、水分を好む植栽には頻繁に潅水する必要がある。
【考案が解決しようとする課題】
【０００３】本考案は、水抜き穴を底から側面上部に移すことにより、水抜穴と底の間を貯水槽とし、数日間潅水ができなくても植栽を枯死されることが避けられる。
【問題を解決するための手段】
【０００４】本考案は従来の植木鉢が底に備えている水抜き穴を側面上部に移動することにより、水抜き穴と鉢底との間に貯水できる空間を設け、ここにピート、腐葉土、スポンジ等の貯水性に富む材料を詰めて植栽への給水を計るものである。
【考案を実施するための最良の形態】
【０００５】考案の実施の図面を参照して説明する。
図１〜２は樹脂製角型植木鉢を想定し、下端より１０ｃｍの位置に２ｃｍ直径の水抜き穴を開ける。
水抜き穴より下が貯水槽となり、多量の潅水や降雨を蓄えることが出来る。
【考案の効果】
【０００６】水抜き穴を側面上部に移すことにより、貯水槽を設けることができるので毎日朝夕の潅水をしなくても植栽が枯死することを避けられる。
【図面の簡単な説明】
【０００７】
【図１】  樹脂製角型植木鉢の斜視図である。
【図２】  樹脂製角型植木鉢の側面図である。
【符合の説明】
【０００８】            １    水抜き穴
【手続補正２】
【補正対象書類名】図面
【補正対象項目名】全図
【補正方法】変更
【補正の内容】
【図１】
0003112080.tif 000005
【図２】
0003112080.tif 000006
(57)【要約】      （修正有）【課題】折り鶴を折るには手先の器用さと時間、労力を必要とする、そこで簡単に折れる補助器を作る。【解決手段】型どった枠組みに折り紙を乗せ、屈伸させることによって折り鶴の最終過程前まで補助することができるようにした。【選択図】図１
0003112077.tif 000002
【実用新案登録請求の範囲】
【請求項１】
折り鶴の折り順を型どった枠組みの中に、折り紙を乗せ、上から蓋をし、押さえ屈伸させることにより折り鶴の最終過程前まで折ることが、出来る折り鶴屈伸自在器。
【考案の詳細な説明】
【技術分野】
【０００１】本考案は、鶴を方どった枠組みの中に折り紙を乗せ、屈伸によって折る、折り鶴器に関するものである。
［背景技術］【０００２】鶴を折る場合、人の手先の器用さと、時間、労力が必要出ある。
［考案が解決しようとする課題］
折り鶴のうち千羽鶴を折ることは、かなりの時間と労力を要する、従って型どった枠組みの上に折り紙を乗せ屈伸することにより簡単に折り鶴の最終過程前まで補助できることにより前述の欠点を解決するものである。
［課題を解決するための手段］
鶴の折り方にそった型枠を作成する。
［考案の効果］
折り鶴には、祈りを込めて折るという日本独自の文化がある。折り鶴を折ることによって外国の方にも日本の文化を知っていただき、また簡単に折ることができるので、お土産としての可能性も期待出来る。そのほかには、障害を持った方にも利用していただけるのではないかと思います。
【図面の簡単な説明】［図１］
折り順を型どった枠組みを展開した平面図である。
［図２］
考案した折り鶴器により折りあがった折り鶴の形態をしめす平面図である。
【符号の説明】
１、本体
２、本体にかぶせる蓋の型
３、本体につける枠型
４、本体を裏面にしてつける枠型
５、結合部分
【図１】
0003112077.tif 000003
【図２】
0003112077.tif 000004
【手続補正書】
【提出日】平成16年12月25日(2004.12.25)
【手続補正１】
【補正対象書類名】実用新案登録請求の範囲
【補正対象項目名】全文
【補正方法】変更
【補正の内容】
［書類名］  実用新案登録請求の範囲
［請求項１］
・折り鶴は、一枚の平らな紙から谷折り、山折りの折りすじにより折り上げる、日本の伝統工芸的作品である。折る事により、手先の運動、脳の発達を促すといわれている。千羽鶴には古来より、願いが叶うといわれ、多くの需要がある。しかし、一部の折り方の難しさのため、高齢者、子供、身体の不自由な方にとって難しい作業である。
一般的折り鶴は、次のような折り順によって完成させる。
▲１▼谷折りにして三角にする▲２▼谷折りにする▲３▼ふくろになっている部分を開き、四角にする▲４▼裏返す▲５▼谷折りにして、とんがりを反対にうつす▲６▼谷折り、山折りをして四角にする▲７▼谷折りにして折りすじをつける▲８▼折りすじにあわせて折りあげる▲９▼裏側も同じにする▲１０▼まんなかにあわせて谷折りにする▲１１▼裏側も山折りにして細くする▲１２▼下の部分をなかわり折りにして折る▲１３▼とんがりのさきをなかわり折りにして頭を作る、羽を開いて  完成
この難しいとされる、▲１▼から▲９▼の過程を考案した折り鶴屈伸自在器により、一つの動作で鶴の基本型まで成型することが可能である。
本考案は、一部の折り方の難しさを、一般的折り方の谷折り、山折りの折りすじに従って、谷折りの部分には凸（とつ）の折りすじ、山折りの部分には、凹（おう）の折りすじを型どった、枠組みプレートをつくり、土台となるプレートの上に折り紙を乗せ、折り紙の安定と折り上がりの美しさを考慮した、もう一方の折りすじを型どった蓋となるプレートをかぶせ、押さえ、屈伸成型する仕組みである、右利きの方には、土台となるプレートと蓋となるプレートの連結部を右下の状態で屈伸し成型する左利きの方には、連結部を左上の状態で屈伸成型する。右利き、左利きの方、身体の不自由な方にも対応できる構造である。一般的に難しいとされている鶴の基本型まで屈伸により折りすじをつけ折り上げることができる。プレートをもとにもどし、蓋を開くと▲１▼から▲９▼の過程を一度に成型できる仕組みである。出来上がった鶴の基本型をもとに折り鶴さらにゾウ、ウマ、ツバメ、タヌキなどの折り方にも変化するのでより楽しい作品が単純動作でだれにでも美しくはやく折り上げることのできる折り鶴、作製のための補助器である。
【手続補正書】
【提出日】平成17年4月1日(2005.4.1)
【手続補正１】
【補正対象書類名】実用新案登録請求の範囲
【補正対象項目名】全文
【補正方法】変更
【補正の内容】
【実用新案登録請求の範囲】
【請求項１】
・本体と本体にかぶせる蓋等を有する折り鶴屈伸自在器において、前記本体の表面及び裏面には、折り鶴の折り筋に対応した凹凸形状が形成され、また、前記蓋の表面及び裏面には、前記本体の凹凸形状に対応した形状が形成されており、前記本体と前記蓋との間に折り紙をはさむことによって、折り紙に折り鶴の折り筋を形成することができる、折り鶴屈伸自在器。